【手続補正書】
【提出日】平成20年9月16日(2008.9.16)
【手続補正１】
【補正対象書類名】特許請求の範囲
【補正対象項目名】全文
【補正方法】変更
【補正の内容】
【特許請求の範囲】
【請求項１】
周辺装置制御部とアプリケーションとを有する情報処理装置と、前記情報処理装置に接続された周辺装置とを有する周辺装置制御システムにおいて、
前記周辺装置制御部は、前記周辺装置の消耗品の残量及び並びに関する情報をアプリケーションに渡し、
前記アプリケーションは、周辺装置制御部から受け取った残量及び並びに関する情報に基づき消耗品の残量を消耗品の並びを考慮して表示することを特徴とする周辺装置制御システム。
【請求項２】
周辺装置制御部とアプリケーションとを有する情報処理装置と、前記情報処理装置に接続された周辺装置とを有する周辺装置制御システムにおいて、
前記周辺装置は、前記周辺装置制御部からの要求に応じて残量及び消耗品の並びに関する情報を前記周辺装置制御部に渡し、
前記周辺装置制御部は、前記周辺装置から取得した消耗品の残量及び並びに関する情報をアプリケーションに渡し、
前記アプリケーションは、前記周辺装置制御部から受け取った残量及び並びに関する情報に基づき消耗品の残量を消耗品の並びを考慮して表示することを特徴とする周辺装置制御システム。
【請求項３】
前記周辺装置制御部は、消耗品の並びに関する情報を、前記周辺装置から取得できた場合は前記周辺装置から取得した消耗品の並びに関する情報をアプリケーションに渡し、前記周辺装置から取得できない場合は前記周辺装置制御部で保持している消耗品の並びに関する情報をアプリケーションに返却することを特徴とする請求項１記載の周辺装置制御システム。
【請求項４】
前記周辺装置は、消耗品の並びに関する情報を、前記周辺装置のメモリから取得することを特徴とする請求項２または３記載の周辺装置制御システム。
【請求項５】
前記周辺装置は、消耗品の並びに関する情報を、消耗品の装着状態を判断して取得することを特徴とする請求項２または３記載の周辺装置制御システム。
【請求項６】
前記周辺装置は、前記周辺装置制御部からの要求に応じて消耗品の残量に関する情報を前記周辺装置制御部に返却することを特徴とする請求項１乃至５いずれか記載の周辺装置制御システム。
【請求項７】
前記消耗品の並びに関する情報は、並び順または並び方向または装着方向のいずれかを含むことを特徴とする請求項１乃至６いずれか記載の周辺装置制御システム。
【請求項８】
前記消耗品の並びに関する情報は、並び順及び並び方向及び装着方向を含むことを特徴とする請求項１乃至６いずれか記載の周辺装置制御システム。
【請求項９】
前記周辺装置は、前記周辺装置制御部からの要求に応じて消耗品の画像を表示するための情報を前記周辺装置制御部に返却することを特徴とする請求項１乃至８いずれか記載の周辺装置制御システム。
【請求項１０】
前記周辺装置は、前記周辺装置制御部からの要求に応じて消耗品のビットマップまたは色情報を前記周辺装置制御部に返却することを特徴とする請求項１乃至８いずれか記載の周辺装置制御システム。
【請求項１１】
周辺装置に接続され、周辺装置制御部とアプリケーションとを有する情報処理装置における周辺装置制御方法において、
前記周辺装置制御部は、前記周辺装置の消耗品の残量及び並びに関する情報をスキーマの定義に変換してアプリケーションに渡し、
前記アプリケーションは、周辺装置制御部から受け取ったスキーマの定義に変換された残量及び並びに関する情報に基づき消耗品の残量を消耗品の並びを考慮して表示するを行うことを特徴とする周辺装置制御方法。
【請求項１２】
周辺装置に接続され、周辺装置制御部とアプリケーションとを有する情報処理装置における周辺装置制御方法において、
前記周辺装置は、前記周辺装置制御部からの要求に応じて残量及び消耗品の並びに関する情報を前記周辺装置制御部に渡し、
前記周辺装置制御部は、前記周辺装置から取得した消耗品の残量及び並びに関する情報をスキーマの定義に変換してアプリケーションに渡し、
前記アプリケーションは、前記周辺装置制御部から受け取ったスキーマの定義に変換された残量及び並びに関する情報に基づき消耗品の残量を消耗品の並びを考慮して表示することを特徴とする周辺装置制御方法。
【請求項１３】
周辺装置に接続される情報処理装置で実行されるプログラムにおいて、
前記周辺装置から消耗品の残量及び並びに関する情報を取得し、
前記周辺装置の消耗品の残量及び並びに関する情報をアプリケーションに送信することを特徴とするプログラム。
【請求項１４】
周辺装置に接続される情報処理装置で実行されるプログラムにおいて、
周辺装置の消耗品の残量及び並びに関する情報を取得し、取得した残量及び並びに関する情報に基づき周辺装置の消耗品の残量を消耗品の並びを考慮して表示することを特徴とするプログラム。
【請求項１５】
前記消耗品の並びに関する情報を、前記周辺装置から取得できた場合は前記周辺装置から取得した消耗品の並びに関する情報をアプリケーションに送信し、前記周辺装置から取得できない場合はあらかじめ保持している消耗品の並びに関する情報をアプリケーションに送信することを特徴とする請求項１３記載のプログラム。
【請求項１６】
前記消耗品の並びに関する情報は、並び順または並び方向または装着方向のいずれかを含むことを特徴とする請求項１３乃至１５いずれか記載のプログラム。
【請求項１７】
前記消耗品の並びに関する情報は、並び順及び並び方向及び装着方向を含むことを特徴とする請求項１３乃至１５いずれか記載のプログラム。
【請求項１８】
前記周辺装置から消耗品の画像を表示するための情報を取得し、アプリケーションに送信することを特徴とする請求項１３記載のプログラム。
【請求項１９】
前記周辺装置から消耗品のビットマップまたは色情報を取得し、アプリケーションに送信することを特徴とする請求項１３記載のプログラム。
【請求項２０】
前記消耗品の画像を表示するための情報を取得し、前記消耗品に関する表示を行なうことを特徴とする請求項１４記載のプログラム。
【請求項２１】
前記消耗品のビットマップまたは色情報を取得し、前記消耗品に関する表示を行なうことを特徴とする請求項１４記載のプログラム。
【請求項２２】
情報処理装置からの要求を受信する受信手段と、
受信した情報処理装置からの要求に応じて消耗品の並びに関する情報と消耗品の残量に関する情報とを送信する送信手段とを有することを特徴とする印刷装置。
【請求項２３】
周辺装置に接続され、周辺装置制御部とアプリケーションとを有する情報処理装置における周辺装置制御方法において、
前記周辺装置制御部は、前記周辺装置の消耗品の残量及び並びに関する情報をアプリケーションに渡し、
前記アプリケーションは、周辺装置制御部から受け取った残量及び並びに関する情報に基づき消耗品の残量を消耗品の並びを考慮して表示することを特徴とする周辺装置制御方法。
【請求項２４】
周辺装置に接続され、周辺装置制御部とアプリケーションとを有する情報処理装置における周辺装置制御方法において、
前記周辺装置は、前記周辺装置制御部からの要求に応じて消耗品の並びに関する情報を前記周辺装置制御部に渡し、
前記周辺装置制御部は、前記周辺装置から取得した消耗品の並びに関する情報をアプリケーションに渡し、
前記アプリケーションは、前記周辺装置制御部から受け取った情報に基づき消耗品の残量を消耗品の並びを考慮して表示することを特徴とする周辺装置制御方法。
【請求項２５】
周辺装置に接続される情報処理装置で実行されるプログラムにおいて、
前記周辺装置から消耗品の残量及び並びに関する情報を取得し、
前記周辺装置の消耗品の残量及び並びに関する情報をアプリケーションに送信することを特徴とするプログラム。
【請求項２６】
周辺装置に接続される情報処理装置で実行されるプログラムにおいて、
周辺装置の消耗品の残量及び並びに関する情報を取得し、
取得した周辺装置の消耗品の残量及び並びに関する情報に基づき周辺装置の消耗品の残量を消耗品の並びを考慮して表示することを特徴とするプログラム。
【請求項２７】
前記消耗品の並びに関する情報は、消耗品の画像を表示するための情報を含むことを特徴とする請求項１乃至６いずれか記載の周辺装置制御システム。
【請求項２８】
前記消耗品の並びに関する情報は、消耗品のビットマップまたは色情報を含むことを特徴とする請求項１乃至６いずれか記載の周辺装置制御システム。
【請求項２９】
前記消耗品の並びに関する情報は、消耗品の画像を表示するための情報を含むことを特徴とする請求項１３乃至１５いずれか記載のプログラム。
【請求項３０】
前記消耗品の並びに関する情報は、消耗品のビットマップまたは色情報を含むことを特徴とする請求項１３乃至１５いずれか記載のプログラム。